(57)【要約】【課題】  カセットの廃棄処理の手間暇を一掃でき、経済的に使用できるだけではなく、ペーパーホルダーに着脱する作業を容易化できるよう形成したロール形ウエットティッシュの収納用カセットを提供する。【解決手段】  本発明は、ペーパーホルダー１のロール紙装填部２にセットして使用するロール形ウエットティッシュ３の収納用カセットである。対向する両側壁４ａを備えて略樋状に形成しているカセット本体部４と、このカセット本体部４の軸心に沿った横軸部５を中心に開閉してカセット本体部４の開口面を覆う蓋６とで筒形容器状に形成する。蓋６の上記横軸部５と反対の開放端側に、ロール形ウエットティッシュ３の引き出し口８を形成する。またカセット本体部４又は蓋６の外側に取っ手７を設ける。【選択図】      図１
2011167335.tif 000002
【特許請求の範囲】
【請求項１】
円筒容器状に形成されてロール形ウエットティッシュを収納した状態で、ペーパーホルダーのロール紙装填部にセットされるロール形ウエットティッシュの収納用カセットであって、対向する両側壁を備えて略樋状に形成されているカセット本体部と、このカセット本体部の軸心に沿った横軸部を中心に開閉してカセット本体部の開口面を覆う蓋とで形成され、この蓋の上記横軸部と反対の開放端側に、ロール形ウエットティッシュの引き出し口が形成され、またカセット本体部又は蓋の外側に取っ手が設けられていることを特徴とするロール形ウエットティッシュの収納用カセット。
【請求項２】
請求項１記載のロール形ウエットティッシュの収納用カセットであって、カセット本体部の両側壁の内面に、ロール形ウエットティッシュの巻き軸の側端と係合する係合溝が、側壁の直径線上を側壁の中心部から外周縁まで延ばされて形成され、この係合溝の内端部に、上記の巻き軸の側端が支持されてロール形ウエットティッシュが回転可能に形成されていることを特徴とするロール形ウエットティッシュの収納用カセット。
【請求項３】
請求項１又は２記載のロール形ウエットティッシュの収納用カセットであって、取っ手が、カセット本体部又は蓋の周方向に開口する手指差し入れ口を備えて形成されていることを特徴とするロール形ウエットティッシュの収納用カセット。
【請求項４】
請求項１乃至３の何れかに記載のロール形ウエットティッシュの収納用カセットであって、カセット本体部の両側壁の外面に、ペーパーホルダーのロール紙装填部の内側壁の案内段差と係合する段差部が形成されていることを特徴とするロール形ウエットティッシュの収納用カセット。
【請求項５】
請求項４記載の収納用カセットをセットするロール紙装填部を備え、このロール紙装填部の内側壁に、カセット本体部の両側壁の外面の段差部と係合して収納用カセットを案内する案内段差が形成されていることを特徴とするペーパーホルダー。
【請求項６】
請求項５記載のペーパーホルダーであって、ロール紙装填部の上面を覆う蓋部材の前側下端の内側に、ロール形ウエットティッシュの送出しローラと協働してロール形ウエットティッシュを挟んで送る押さえローラが設けられていることを特徴とするペーパーホルダー。
【発明の詳細な説明】
【技術分野】
【０００１】
本発明は、ロール形ウエットティッシュ（ロール形に巻かれている湿潤したティッシュ）を収納するカセットに関し、更に詳しくはロール形ウエットティッシュの収納用カセット及びこれを装填して使用するペーパーホルダーに関するものである。
【背景技術】
【０００２】
従来この種の収納用カセットとしては、例えば特許文献１の図１１に記載されているものがある。
この従来品は、ロール形ウエットティッシュを内蔵してパトローネ状に形成され、前側のグリップ部分を破断エッジから手で折り取ってペーパーホルダーの装填部にセットする構造であった。
【０００３】
従って従来品は、中身のロール形ウエットティッシュを使い切ったときは、カセット自体を廃棄する必要があったから、従来品によると、カセットの廃棄処理に手間暇がかかっただけではなく、ランニングコストが高くつき、不経済で使い勝手が悪い、という問題点があった。
【先行技術文献】
【特許文献】
【０００４】
【特許文献１】特表２００４−５０５７４３号公報
【発明の概要】
【発明が解決しようとする課題】
【０００５】
本発明は、このような従来品の問題点に鑑み、提案されたものである。
従って本発明の解決しようとする技術的課題は、カセットの廃棄処理の手間暇を一掃でき、経済的に使用できるだけではなく、ペーパーホルダーに着脱する作業を容易化できるよう形成したロール形ウエットティッシュの収納用カセット、及びこの収納用カセットを装填してロール形ウエットティッシュの引出しに使用することができる、同様の効果を奏するペーパーホルダーを提供することにある。
【課題を解決するための手段】
【０００６】
本発明は、上記の課題を解決するため、次のような技術的手段を採る。
即ち本発明は、図１等に示されるように、ペーパーホルダー１のロール紙装填部２にセットして使用するロール形ウエットティッシュ３の収納用カセットであって、対向する両側壁４ａを備えて略樋状に形成されているカセット本体部４と、このカセット本体部４の軸心に沿った横軸部５を中心に開閉してカセット本体部４の開口面を覆う蓋６とで筒形容器状に形成され、蓋６の上記横軸部５と反対の開放端側に、ロール形ウエットティッシュ３の引き出し口８が形成され、またカセット本体部４又は蓋６の外側に取っ手７が設けられていることを特徴とする（請求項１）。
【０００７】
本発明の場合、カセット本体部４と蓋６は、通常、樹脂材で円筒容器を軸線方向に沿って略二つ割りした形状に形成されるが、例えば四角形や六角形の筒形容器を二つ割りした形状でも良く、またその形成材質は任意である。またここで、横軸部５とは、蓋６が開閉可能になるよう、関節として機能する箇所を意味する。従って横軸部５は、丸棒状の軸や蝶番で形成される場合には限られず、例えばカセット本体部４と蓋６とを樹脂材で一体的に形成し、両者の連結箇所がヒンジとして機能するよう薄肉状に形成されている場合も含まれる。また本発明の場合、取っ手７は、カセット本体部４又は蓋６の何れかに設けられているのであれば、その構造や配設箇所は自由である。
【０００８】
而して本発明の収納用カセットは、カセット本体部４の両側壁４ａの内面に、ロール形ウエットティッシュ３の巻き軸１０の側端１０ａと係合する係合溝１１が、側壁４ａの直径線上を側壁４ａの中心部から外周縁まで延ばされて形成され、この係合溝１１の内端部１１ａに、上記の巻き軸１０の側端１０ａが支持されてロール形ウエットティッシュ３が回転可能に形成されているのが好ましい（請求項２）。
なぜならこれによると、ロール形ウエットティッシュ３を引き出すと巻き軸１０を中心にロール形ウエットティッシュ３が回転するため、引き出し操作を小さな力で軽く楽に、且つ円滑にできるからである。
【０００９】
また本発明は、取っ手７が、カセット本体部４又は蓋６の周方向に開口する手指差し入れ口７ａを備えて形成されているのが好ましい（請求項３）。
なぜならこれによると、手指差し入れ口７ａに手指を差し入れてカセットを持ち上げ、ペーパーホルダー１のロール紙装填部２に上から降ろすことで、カセットを簡単且つ容易にセットできるからである。またこの場合は、取っ手７の高さを抑えることができるから、これによるとロール紙装填部２の高さを低くでき、ペーパーホルダー１の小型化、コンパクト化を図ることができるからである。
【００１０】
また本発明は、カセット本体部４の両側壁４ａの外面に、ペーパーホルダー１のロール紙装填部２の内側壁の案内段差１２と係合する段差部１３が形成されているのが好ましい（請求項４）。
なぜならこれによると、カセットの回転や位置ずれ、ガタツキを防止でき、ウエットティッシュ３を安定的に引き出すことができるからである。この本発明の場合、案内段差１２や段差部１３の形状、構造は任意であるが、好ましくはカセットの係合溝１１と平行状の溝や突条で形成されているのが良い。なぜならこれによると、カセットをロール紙装填部２に上から降ろすことで簡単、容易にセットできるからである。
【００１１】
また本発明のペーパーホルダー１としては、図５〜図１０に示されるように形成されているものがある。
【００１２】
即ち、この本発明のホルダー１は、請求項４記載の収納用カセットをセットするロール紙装填部２を備え、このロール紙装填部２の内側壁に、カセット本体部４の両側壁４ａの外面の段差部１３と係合して収納用カセットを案内する案内段差１２が形成されているものである（請求項５）。
【００１３】
この本発明のホルダー１によれば、ロール形ウエットティッシュ３を使い切ったときはカセットに新品を補充して使用でき、またカセットの着脱操作を容易化できるだけではなく、カセットのガタツキや回転を防止でき、安定した姿勢でウエットティッシュ３を容易に引き出すことができる。
【００１４】
またこの場合、本発明のホルダー１は、ロール紙装填部２の上面を覆う蓋部材１４の前側下端の内側に、ロール形ウエットティッシュ３の送出しローラ１７ｃと協働してロール形ウエットティッシュ３を挟んで送る押さえローラ２２が設けられているのが好ましい（請求項６）。
なぜならこれによると、ウエットティッシュ３を送出しローラ１７ｃで送るとき、押さえローラ２２がウエットティッシュ３を押さえながら回転するため、紙詰まりを起こすことなく、確実、円滑に紙送りできるからである。
【発明の効果】
【００１５】
本発明の収納用カセット及びこれをセットして使用するペーパーホルダーは、このように形成されている。
従って本発明によれば、ロール形ウエットティッシュを使い切ったときはカセットの蓋を開け閉めすることで新品と簡単に交換できるから、カセットを始末する手間隙を一掃でき、ランニングコストを低廉化でき、経済的に使用できる。
また本発明は、取っ手を利用してペーパーホルダーのロール紙装填部にカセットを着脱できるから、カセットの取り付け、取り外し作業を簡単且つ楽にできる。
【図面の簡単な説明】
【００１６】
【図１】本発明のカセットの好適な一実施形態を示す、蓋を開いた状態の要部斜視図である。
【図２】同上カセットの斜視図である。
【図３】同上カセットの側面図である。
【図４】図２のＩＶ−ＩＶ線における断面図である。
【図５】本発明のホルダーの側面図である。
【図６】同上ホルダーの内部機構を説明するための要部側面図である。
【図７】Ａは同上ホルダーの送出し機構を説明するための要部側面図、ＢはＡのＢ−Ｂ線拡大断面図である。
【図８】同上ホルダーの斜視図である。
【図９】同上ホルダーの正面図である。
【図１０】同上ホルダーの蓋部材の裏側を示す要部斜視図である。
【発明を実施するための形態】
【００１７】
以下、本発明を実施するための好適な一実施形態を、添付図面に従って説明する。
本発明は、図１等に示されるように、ペーパーホルダー１のロール紙装填部２にセットして使用するロール形ウエットティッシュ３の収納用カセットである。
【００１８】
この実施形態の本発明のカセットは、対向する両側壁４ａを備えて断面円弧形の略樋状に形成されているカセット本体部４と、このカセット本体部４の軸心に沿った横軸部５を中心に開閉してカセット本体部４の開口面を覆う断面円弧形の蓋６とで、円筒容器状に形成されている。従ってカセット本体部４と蓋６は、この実施形態では円筒容器を軸線方向に沿って略二つ割りした形状であり、丸棒状の横軸部５を介して連結され、共に樹脂材で形成されている。
【００１９】
また蓋６は、カセット本体部４の両側壁４ａにロック可能に形成されている。この実施形態では、蓋６の両端に円弧状の縁取り片６ａが形成され、この縁取り片６ａの周方向の中央に嵌合孔６ｂが形成されると共に、この嵌合孔６ｂから略９０度だけ開放端側に離された位置に、側面から見て内側に半円形に突き出た嵌合片部６ｃが形成されている。また嵌合孔６ｂと嵌合片部６ｃに対応する、カセット本体部４の両側壁４ａの位置に、嵌合用の突起４ｂと凹段差部４ｃが形成されている。
【００２０】
またこの実施形態の本発明は、蓋６の外側に、上記のロール紙装填部２にセットするときに使用する取っ手７が設けられている。この取っ手７は、蓋６の周方向に開口する手指差し入れ口７ａを備えている。そして、この実施形態の取っ手７は、蓋６の接線方向に沿った天井板７ｂと、手指差し入れ口７ａの両側を閉じるよう天井板７ｂの両端位置から蓋６の周面に下端が接する状態に形成されている側板７ｃとで、空洞状に形成されている。
【００２１】
８は、ロール形ウエットティッシュ３の引き出し口である。この引き出し口８は、蓋６の上記横軸部５と反対の開放端側に形成されている。引き出し口８は、図２等に示されるように、具体的には、取っ手７の手指差し入れ口７ａの下側に形成されている庇板８ａの前端と、カセット本体部４の前側の立ち上げ部４ｄの上端とで横長の隙間状に形成されている。庇板８ａの両側に生じる空間は、閉塞板８ｂで塞がれている。
【００２２】
またこの実施形態では、庇板８ａの下面に、ウエットティッシュ３を押さえるよう、シリコンゴム等の軟質、弾質材料製の面状材９が、重合状に取り付けられている。この面状材９によって、引き出し口８は封止状に形成され、カセット内の密閉性が良くなり、ウエットティッシュ３の乾燥が防止される。
【００２３】
また本発明のカセットは、カセット本体部４の両側壁４ａの内面に、ロール形ウエットティッシュ３の巻き軸１０の側端１０ａと係合する係合溝１１が、側壁４ａの直径線上を側壁４ａの中心部から外周縁まで延ばされて形成されている。そして本発明では、この係合溝１１の内端部１１ａに、上記の巻き軸１０の側端１０ａが支持されてロール形ウエットティッシュ３が回転可能に形成されている。
【００２４】
また本発明は、カセット本体部４の両側壁４ａの外面に、ペーパーホルダー１のロール紙装填部２の内側壁の案内段差１２（図６等参照）と係合する段差部１３が形成されている。この実施形態の場合、段差部１３は平行な３本の凹溝で形成され、これらの凹溝は上記の係合溝１１と平行になるよう形成されている。また案内段差１２は、３本の平行状の突条で形成されている。
【００２５】
次に、本発明のペーパーホルダー１の好適な一実施形態を、図５〜図１０に従って説明する。上例と同一部材、同一箇所には同一の符号を付し、詳しい説明は省略する。
【００２６】
本発明のホルダー１は、上記のように形成されている収納用カセットを、ロール形ウエットティッシュ３の巻き軸１０を横にしてセット（収納）するロール紙装填部２と、このロール紙装填部２の開口状の上面を塞ぐ蓋部材１４とを備えて形成されている。なお、この実施形態の本発明のホルダー１は、ロール紙装填部２を備えた本体１５の下側に、紙受け１６が本体１５に対し着脱自在に設けられている。
【００２７】
そして本発明は、上記のロール紙装填部２の前側に、ロール形ウエットティッシュ３の巻き軸１０の配置方向に沿って送出しローラ群１７を構成するローラ１７ａ、１７ｂ、１７ｃが平行状に横架され、この各ローラ１７ａ、１７ｂ、１７ｃがモータ１８で回転されてロール形ウエットティッシュ３の引き出し端３ａが送り出されるよう構成されている。１９は、モータ１８の駆動用スイッチである。この駆動用スイッチ１９は、レバー２０を押すことでオンになるよう形成されている。
【００２８】
上記の送出しローラ群１７は、具体的には、最上段のローラ１７ａと、この最上段のローラ１７ａの下側に配置されている中段のローラ１７ｂと、この中段のローラ１７ｂの下側に配置されている最下段のローラ１７ｃとで構成されている。そして最上段のローラ１７ａと中段のローラ１７ｂ、中段のローラ１７ｂと最下段のローラ１７ｃに、ベルト２１が掛けられている。このベルト２１は、モータ１８の回転力を各ローラ１７ａ、１７ｂ、１７ｃに伝え、各ローラ１７ａ、１７ｂ、１７ｃと共に回転しながら、ロール形ウエットティッシュ３を送り出すよう機能する。ベルト２１は、図７Ａに示されるように、各ローラ１７ａ、１７ｂ、１７ｃの周面より凸段差状に突き出されている。
【００２９】
そして本発明のホルダー１は、ロール紙装填部２の内側壁に、カセット本体部４の両側壁４ａの外面の段差部１３と係合して収納用カセットを案内する案内段差１２が形成されている。この実施形態の場合、段差部１３は上記の通り３本の凹溝で、案内段差１２は３本の突条で形成されている。
【００３０】
また本発明は、図６、図７等に示されるように、ロール紙装填部２の上面を覆う蓋部材１４の前側下端の内側に、この実施形態では最下段の送出しローラ１７ｃと協働してロール形ウエットティッシュ３を挟んで送る押さえローラ２２が設けられている。
ロール形ウエットティッシュ３の引き出し端３ａは、この押さえローラ２２と送出しローラ１７ｃとで挟まれ、送出しローラ１７ｃが回転すると押さえローラ２２が引き出し端３ａを押さえつけながら回転する。従ってこれによれば、ウエットティッシュ３は弛みや撓みを生じることなく、円滑に送り出される。
【００３１】
次に本発明のホルダー１の作用を説明する。
先ず使用者は、図１〜図４に示されるように、例えば取っ手７に手を掛けて蓋６を開き、次にロール形ウエットティッシュ３を、巻き軸１０の側端１０ａを係合溝１１に係合させてカセット内に入れる。そして、引き出し口８からウエットティッシュ３を少し引き出して蓋６を閉じ、ロックする。
【００３２】
次に使用者は、取っ手７の手指差し入れ口７ａに手指を差し入れて本発明のカセットを持ち上げ、ペーパーホルダー１のロール紙装填部２に、段差部１３を案内段差１２に係合させて収納する。
【００３３】
そしてモータ１８の駆動用スイッチ１９を入れる。すると、モータ１８が回転し、ベルト２１によって最上段のローラ１７ａ、中段のローラ１７ｂ、最下段のローラ１７ｃが回転する。
【００３４】
而してロール形ウエットティッシュ３は、ベルト２１が回転すると、ベルト２１との接触摩擦で送り出される。この場合、ロール形ウエットティッシュ３の引き出し端３ａは、送出し経路の終端である、蓋部材１４の前側下端の位置で、押さえローラ２２と、最下段の送出しローラ１７ｃとで挟まれ、押さえローラ２２によって押さえ圧を受けながら送り出される。
【００３５】
従って本発明によると、ウエットティッシュ３が蓋部材１４の内側に滞ることなく、円滑、確実に送り出される。そして送り出されたウエットティッシュ３は、紙受け１６に折り返されながら、畳まれる。
【００３６】
而して、ロール形ウエットティッシュ３を使い切ったら、使用者はカセットの蓋６を開き、巻き軸１０を取り出してから新しいロール形ウエットティッシュ３を入れて蓋６を閉じる。そして、カセットをペーパーホルダー１のロール紙装填部２にセットして使用する。
【００３７】
以上の処において、カセットは密閉性が良くなるよう、カセット本体部４と蓋６との接合位置にパッキン（図示せず）が設けられているのでも良い。
またカセットの蓋６のロック構造は、上例に限定されるものではない。
また上例の場合、取っ手７は、手指を、一層、差し入れ易くなるよう、例えば手指差し入れ口７ａから少し入った蓋６の周面位置を凹ませ、手指の関節が支障なく差し入れ可能になるよう、形成されているのでも良い。
【符号の説明】
【００３８】
１      ペーパーホルダー
２      ロール紙装填部
３      ロール形ウエットティッシュ
４      カセット本体部
４ａ    側壁
５      横軸部
６      蓋
７      取っ手
８      引き出し口
【図１】
2011167335.tif 000003
【図２】
2011167335.tif 000004
【図３】
2011167335.tif 000005
【図４】
2011167335.tif 000006
【図５】
2011167335.tif 000007
【図６】
2011167335.tif 000008
【図７】
2011167335.tif 000009
【図８】
2011167335.tif 000010
【図９】
2011167335.tif 000011
【図１０】
2011167335.tif 000012